(57)【要約】【課題】容易に持ち運ぶことのできる入力手段を用いて、迅速に情報を記録することができ、かつ、記録後の情報検索が容易であり、他者との情報の共有も即時に行うことのできる情報記録システムを提供する。【解決手段】所定フォーマットが表示された媒体上に筆記するための入力手段と、入力手段の位置を算出する位置算出手段と、位置算出手段によって算出された入力手段の位置情報を経過時間毎に記憶する入力情報記憶手段と、所定フォーマットに関する情報を記憶させたフォーマット情報記憶手段と、入力情報記憶手段に記憶された入力情報を、フォーマット情報記憶手段に記憶されたフォーマット情報に対応させる適合手段と、を具備し、入力手段を用いて媒体上に筆記された情報を、フォーマットに対応させて記憶する。【選択図】図１
2009169603.tif 000002
【特許請求の範囲】
【請求項１】
所定フォーマットが表示された媒体上に筆記するための入力手段と、
前記入力手段の位置を算出する位置算出手段と、
前記位置算出手段によって算出された前記入力手段の位置情報を経過時間毎に記憶する入力情報記憶手段と、
前記所定フォーマットに関する情報を記憶させたフォーマット情報記憶手段と、
前記入力情報記憶手段に記憶された入力情報を、前記フォーマット情報記憶手段に記憶されたフォーマット情報に対応させる適合手段と、
を具備し、
前記入力手段を用いて前記媒体上に筆記された情報を、前記フォーマットに対応させて記憶することを特徴とする情報記録システム。
【請求項２】
前記入力手段は超音波発振部を有し、
前記情報記録システムは、前記超音波発振部で発振された超音波を受信する複数の超音波受信部を備えた受信手段を具備し、
前記位置算出手段は、前記超音波発振部で発振された超音波が２つの超音波受信部で受信されるまでの時間を用いて前記入力手段の位置を算出する請求項１に記載の情報記録システム。
【請求項３】
前記入力手段は、前記超音波発振部から超音波が発振されるタイミングに合わせて発光する光源を備え、
前記受信手段は、前記光源からの出射光を受光する受光部を備え、
前記位置算出手段は、前記受光部が受光したタイミングに基づいて、前記超音波発振部で発振された超音波が２つの超音波受信部で受信されるまでの時間を算出する請求項２に記載の情報記録システム。
【請求項４】
前記所定フォーマットが表示された媒体には、前記所定フォーマットに対応する識別情報が表示され、
前記適合手段と通信可能であるとともに、前記識別情報を取り込み可能な携帯情報端末を備え、
前記携帯情報端末は、取り込んだ識別情報を前記適合手段へ送信し、
前記識別情報を受信した前記適合手段は、対応するフォーマット情報へ、前記入力情報記憶手段に記憶された入力情報を対応させる請求項１から請求項３のいずれか１項に記載の情報記録システム。
【請求項５】
前記識別情報はＱＲコードとして表示されている請求項４に記載の情報記録システム。
【発明の詳細な説明】
【技術分野】
【０００１】
本発明は、所定フォーマットが表示された媒体上に筆記した情報を記憶するための情報記録システムに関する。
【背景技術】
【０００２】
各種情報を記録するため入力方法としては、例えば、パーソナルコンピュータに接続された入力手段（例えばキーボード、マウス）によるものや、ＰＤＡ（ｐｅｒｓｏｎａｌ  ｄｉｇｉｔａｌ  ａｓｓｉｓｔａｎｔ）その他の携帯情報端末へスタイラスペンを用いて入力するものがある一方、紙媒体に筆記する方法も依然として存在している。キーボード、マウス、スタイラスペンで入力して、パーソナルコンピュータや携帯情報端末に情報を記録する方法は、確実に保管でき、検索が容易であり、誰にも読みやすい状態で記録でき、さらに他者との共有が容易である、という長所を備える。一方、鉛筆、ボールペンその他の筆記用具を用いて紙媒体へ筆記する手法には、迅速に記録することができ、筆跡から筆記者を特定することができるという長所がある。
【特許文献１】国際公開２００４／０４４７２９号公報
【発明の開示】
【発明が解決しようとする課題】
【０００３】
しかしながら、パーソナルコンピュータや携帯情報端末への入力は、筆記に比べて格段に遅いとともに、迅速に記録する必要のある用途には向いていない。さらに、パーソナルコンピュータは、小型のものであっても重量が重く、サイズが大きいため、持ち運びが難しく、かつ、咄嗟の入力作業に対応しづらいという欠点がある。
これに対して、筆記による記録は、後の情報の検索が困難であって、他者と情報を共有するには改めてパーソナルコンピュータや携帯情報端末に入力しなければならないという短所を持つ。
【０００４】
そこで本発明は、容易に持ち運ぶことのできる入力手段を用いて、迅速に情報を記録することができ、かつ、記録後の情報検索が容易であり、他者との情報の共有も即時に行うことのできる情報記録システムを提供することを目的とする。
【課題を解決するための手段】
【０００５】
上記課題を解決するために、本発明の情報記録システムは、所定フォーマットが表示された媒体上に筆記するための入力手段と、入力手段の位置を算出する位置算出手段と、位置算出手段によって算出された入力手段の位置情報を経過時間毎に記憶する入力情報記憶手段と、所定フォーマットに関する情報を記憶させたフォーマット情報記憶手段と、入力情報記憶手段に記憶された入力情報を、フォーマット情報記憶手段に記憶されたフォーマット情報に対応させる適合手段と、を具備し、入力手段を用いて媒体上に筆記された情報を、フォーマットに対応させて記憶することを特徴とする。
【０００６】
本発明の情報記録システムにおいて、入力手段は超音波発振部を有し、情報記録システムは、超音波発振部で発振された超音波を受信する複数の超音波受信部を備えた受信手段を具備し、位置算出手段は、超音波発振部で発振された超音波が２つの超音波受信部で受信されるまでの時間を用いて入力手段の位置を算出することが好ましい。
【０００７】
本発明の情報記録システムにおいて、入力手段は、超音波発振部から超音波が発振されるタイミングに合わせて発光する光源を備え、受信手段は、光源からの出射光を受光する受光部を備え、位置算出手段は、受光部が受光したタイミングに基づいて、超音波発振部で発振された超音波が２つの超音波受信部で受信されるまでの時間を算出することができる。
【０００８】
本発明の情報記録システムにおいて、所定フォーマットが表示された媒体には、所定フォーマットに対応する識別情報が表示され、適合手段と通信可能であるとともに、識別情報を取り込み可能な携帯情報端末を備え、携帯情報端末は、取り込んだ識別情報を適合手段へ送信し、識別情報を受信した適合手段は、対応するフォーマット情報へ、入力情報記憶手段に記憶された入力情報を対応させることが好ましい。
【０００９】
本発明の情報記録システムにおいて、識別情報はＱＲコードとして表示されているとよい。
【発明の効果】
【００１０】
本発明によると、所定フォーマットが表示された媒体上に筆記するための入力手段の位置を算出して、経過時間ごとに記憶し、記憶された入力情報を、所定フォーマットのフォーマット情報に対応させることができることにより、媒体上に迅速に情報を記録できるとともに、所定フォーマット上に筆記された状態の情報を正確かつ迅速に電子化して保存することができる。これにより、情報の検索、分析、配布を極めて短時間で行うことができる。
【発明を実施するための最良の形態】
【００１１】
以下、本発明にかかる実施形態を図面を参照しつつ詳しく説明する。本実施形態では、超音波を用いて入力手段の位置を算出する例を示すが、本発明は超音波以外の手段、例えば電磁誘導や光を用いて入力手段の位置を算出することもできる。さらに、位置算出手段と入力手段をケーブルで電気的に接続して、入力手段の位置を算出することもできる。
【００１２】
本実施形態に係る情報記録システム１０は、図１に示すように、入力手段としての入力ペン２０と、受信手段としての受信器３０と、携帯情報端末としての携帯電話４０と、位置算出手段、入力情報記憶手段、フォーマット情報記憶手段、及び適合手段としてのサーバ５０と、を備える。
【００１３】
入力ペン２０は、図２に示すように、ボールペン、シャープペンその他の筆記用具様の筒形状をなし、筆記機能に加えて、先端部（ペン先）近傍に超音波発振部（不図示）を備える。この超音波発信部としては、例えば圧電素子を用いることができ、不図示の電源スイッチを入れている間は所定の周波数の超音波を発振する。この周波数は、筆記者が振動を感じないような値（例えば２０ｋＨｚ）に設定する。また、先端部又は胴部には、所定の周波数で外部へ向けて発光する光源（不図示）が設けられている。光源としては、例えばＬＥＤを用い、筆記者が発光を感知しない周波数の光（例えば赤外線）を出射する。この光源は、筆記中の出射を確保するために、胴部の後端側に、または、胴部全体に渡って配置することが好ましい。図３に示すように、入力ペン２０の光源からの発光と、超音波発振部における発振は同じタイミングで周期的に行われる。
【００１４】
入力ペン２０は、以上の構成により、媒体Ｍ（図２）上に筆記できるともに、光源から光を出射し、超音波発振部において超音波を発振する。媒体Ｍとしては、例えば、紙、又は、感圧式、磁気式、若しくは電磁式のパッドを用いることができ、入力ペン２０は使用する媒体Ｍに合わせた筆記機能（例えば、ボールペン、スタイラスペン）を備える。
【００１５】
また、媒体Ｍ上には、所定フォーマットが表示されている。この所定フォーマットは、例えば、報告書、注文書、解答用紙の書式を示したものであって、任意に設定することができる。さらに、媒体Ｍ上には、表示された所定フォーマットの内容に対応する識別情報が示されている。この識別情報は、例えば、ＱＲ（Ｑｕｉｃｋ  Ｒｅｓｐｏｎｓｅ）コード（登録商標）、バーコード、数字列、マイクロＱＲコードとして表示される。
【００１６】
受信器３０は、入力ペン２０の超音波発振部で発振された超音波を受信する２つの超音波受信部３２、３３と、入力ペン２０の光源からの出射光を受光する受光部３４と、を備える。超音波受信部３２は、本実施形態のように媒体Ｍ上の入力ペン２０の位置を２次元座標で取得する場合は２つ以上、３次元座標として取得する場合は３つ以上、互いに離間して設けることが好ましい。また、受光部３４としては、例えばフォトダイオードを用いることができる。
【００１７】
受信器３０には、携帯電話４０が接続されている。この携帯電話４０により、通信網６０を介して受信器３０とサーバ５０は相互にデータ交換が可能（通信可能）である。また、携帯電話４０は画像取り込み機能（撮影機能）としてカメラを備え、媒体Ｍ上に表示された識別情報を取り込むことができ、取り込んだ識別情報をサーバ５０へ送信する。なお、サーバ５０と通信可能であって、画像取り込み機能を備えていれば、携帯電話４０以外の携帯情報端末、例えばＰＤＡ、小型パソコンを用いることができる。また、受信器３０に通信機能及び画像取り込み機能を持たせて、携帯電話４０を介することなく、受信器３０とサーバ５０を接続しても良い
【００１８】
図３に示すように、入力ペン２０の光源からの発光と、超音波発振部における発振は同じタイミングで周期的に行われる。この発光及び発振は、例えば１秒間に８０回の周期で行われる。ここで、受光部３４での受光のタイミングに対して、超音波受信部３２、３３での受信タイミング（受信Ａ（超音波受信部３２）、受信Ｂ（超音波受信部３３）（図３））はそれぞれΔＴ１、ΔＴ２だけ遅延する。ΔＴ１とΔＴ２の違いは、超音波受信部３２と超音波受信部３３を離間して設けたことにより入力ペン２０の超音波発振部からの距離が異なるために生じる。また、入力ペン２０における発光から受光部３４における受光までの時間は、ΔＴ１とΔＴ２よりも十分小さいため、以下に述べる入力ペン２０の位置の算出においては、入力ペン２０における発光と同時と見なしている。
【００１９】
入力ペン２０の先端部の媒体Ｍ上における２次元座標（ｘ，ｙ）は次のようにして算出することができる。超音波受信部３２を二次元座標の原点（０，０）に、超音波受信部３３を（０，ａ）に配置するとともに、入力ペン２０の先端部から超音波受信部３２までの距離をｂ、超音波受信部３３までの距離をｃとすると、次の式（１）、（２）が成り立つ。ここで、距離ｂ、ｃは、ずれ時間ΔＴ１、ΔＴ２と、超音波の進行速度から算出する。
ｘ２＋ｙ２＝ｂ２            （１）
ｘ２＋（ｙ−ａ）２＝ｃ２     （２）
これらの式よりｘ、ｙは次のように算出することができる。
ｘ＝ＳＱＲＴ［ｂ２−｛（ａ２−ｃ２）／２ａ｝２］  又は  ｘ＝−ＳＱＲＴ［ｂ２−｛（ａ２−ｃ２）／２ａ｝２］  （３）
ｙ＝（ａ２−ｃ２）／２ａ     （４）
ここで、ＳＱＲＴ［Ｄ］はＤの平方根を表す。
この算出結果を、入力ペン２０の発光及び発振の度に、時間を追って保存することによって、媒体Ｍ上における筆記者の筆跡を追従して保存することができる。
なお、入力ペン２０の先端部の３次元座標を算出する場合は、超音波受信部を３つとし、これらの座標と入力ペン２０の先端部までの距離から、上述の式（１）、（２）を３次元に適用した式を立てて入力ペン２０の先端部の３次元座標を算出する。
【００２０】
以上述べた入力ペン２０の先端部の位置の算出は、携帯電話４０を介して受信器３０に接続されたサーバ５０（位置算出手段）で行う。すなわち、まず、超音波受信部３２及び超音波受信部３３における受信タイミングデータ及び受光部３４における受光タイミングデータが携帯電話４０を介してサーバ５０へ送信されると、サーバ５０では、受信した受信タイミングデータ及び受光タイミングデータに基づいて、ずれ時間ΔＴ１、ΔＴ２を算出する。つづいて、ずれ時間ΔＴ１、ΔＴ２と、あらかじめ第２記憶部５６に記憶された超音波の進行速度データから、入力ペン２０の先端部から超音波受信部３２までの距離ｂ、及び、超音波受信部３３までの距離ｃを算出する。さらに、あらかじめ第２記憶部５６に記憶された超音波受信部３３のｙ座標ａと、算出された距離ｂ、ｃを用いて、上記式（３）、（４）により、入力ペン２０の先端部の２次元座標を算出する。ずれ時間ΔＴ１、ΔＴ２の算出、距離ｂ、ｃの算出、及び、２次元座標の算出は、第２記憶部５６にあらかじめ記憶させたプログラムにしたがって制御部５２の制御のもとに行われ、算出結果は、経過時間ごとに第１記憶部５４（入力情報記憶手段）内の異なるアドレスに順次記憶される。こうして記憶された２次元座標データを、制御部５２の制御のもとで、同一の座標軸上に重ね合わせることにより筆記者の筆記の軌跡を再現することができる。ここで、第１記憶部５４及び第２記憶部５６としては、例えば、フラッシュメモリその他の半導体、ハードディスクを用いることができる。また、第１記憶部５４及び第２記憶部５６は、共通の記憶媒体を用いることもできる。
【００２１】
なお、上述の説明では、入力ペン２０の先端部の位置の算出をサーバ５０で行うこととしたが、受信器３０内に制御部５２、第１記憶部５４、第２記憶部５６に相当する機能を持たせることにより、受信器３０内で入力ペン２０の位置の算出を行うこともできる。
【００２２】
サーバ５０の第２記憶部５６内には、媒体Ｍ上に表示される所定フォーマットに関する情報（フォーマット情報）が記憶されている。すなわち、第２記憶部５６は、フォーマット情報記憶手段としても機能する。制御部５２は、受信器３０上に表示されたフォーマットに対応したフォーマット情報を第２記憶部５６から呼び出して、第１記憶部５４内に展開する。より具体的には、受信器３０上には、表示されたフォーマットに１対１に対応する識別情報が、例えばＱＲコード、バーコード、数字列、マイクロＱＲコードとして、表示されており、この識別情報を携帯電話４０によって撮影すると、撮影データは、携帯電話４０によりサーバ５０に送信される。撮影データを受信したサーバ５０は、第２記憶部５６にあらかじめ記憶されたプログラムによって、撮影データが示す識別情報を分析し、その分析結果にしたがって第２記憶部５６に記憶された複数のフォーマット情報の中から媒体Ｍに表示された所定フォーマットのフォーマット情報を選択する。選択されたフォーマット情報は、入力ペン２０の位置の算出に用いる座標に対応する座標上の画像データとして、例えば画素毎に第１記憶部５４の複数のアドレスに分割して保存される。なお、識別情報が数字列である場合は、携帯電話４０の撮影機能は用いずに、キー操作によって識別情報を入力することもできる。
【００２３】
ここで、所定フォーマットを例示するが、本発明の思想の範囲内にあればこれら以外のフォーマットを用いることもできる。
まず、報告書のフォーマットを挙げることができる。この報告書フォーマットは、例えば、屋外作業者（例：電力設備点検作業、各種工事）が作業経過について報告するための報告書、外務員が自らの行動を報告するための報告書、宅配便担当者の宅配状況を記録した報告書がある。また、医師が用いる患者のカルテや、宅配便業者が受取人から署名又は押印をもらう伝票も含まれる。これらのフォーマットについて本実施形態の情報記録システムを用いれば、それぞれの作業後にあらためてパソコンなどに入力し直す必要がなくなるとともに、筆記した内容が直ちに電子化されるため保管が容易であり、さらに、電子メールなどにより簡単に配布することができる。
【００２４】
また、所定フォーマットの別の例としては、通信教育や模擬試験で用いる解答用紙がある。通信教育や模擬試験は、多数の受講者・受験者が利用するものであると同時に、迅速かつ正確に採点を行って、分析結果を示す必要がある。しかし、従来は、受講者又は受験者がすべて記入し終わった解答用紙を回収するのに時間を要し、回収後の整理、採点、分析のいずれにおいても迅速性と正確性を両立することが困難であった。これに対して本実施形態の情報記録システムを用いると、受講者又は受験者が解答用紙に記入している間にも、その内容を収集することができ、これにより採点、分析を迅速に行うことができる。さらに、収集するデータには受講者又は受験者のデータも付されているため、整理作業をきわめて容易に行うことができる。
【００２５】
さらに、所定フォーマットのさらに別の例としては、警備員が警備会社に送る報告書や各種設計図面がある。前者では、異常時の状況説明を具体的に行うことができ、後者では、客先での設計変更を直ちにフィードバックすることができる。
【００２６】
また、別の例としては、通信販売のカタログがある。例えば、カタログの各ページを所定フォーマットとして、カタログの利用者が商品の写真や説明の記載上で所定の筆記操作（例えば○印を描く操作）を行うことが購入希望の意思表示であると設定すれば、購入申し込みを極めて簡単な手続きで行うことができ、利用者の便宜に帰することができる。
【００２７】
さらに、別の例としては、いわゆるご用聞きで用いる発注書がある。この発注書は、客先に出向いたときに受けた注文をその場で筆記するものであって、客先からもどることなく直ちに注文内容を手配することができる。
【００２８】
第１記憶部５４に記憶された、入力ペン２０の先端の座標の算出結果及びフォーマット情報は、互いに対応するように、言い換えれば、実際に筆記者が媒体Ｍ上のフォーマットに筆記したのと同じ状態となるように、重ね合わせられる（適合される）。この重ね合わせ（適合）は、第２記憶部５６にあらかじめ記憶されたプログラムにしたがって、制御部５２（適合手段）によって実行される。適合結果は、第１記憶部５４に保存されて、入力ペン２０を用いて媒体Ｍ上に筆記された情報が、所定フォーマットに対応した形で記憶される。入力ペン２０による筆記情報を所定フォーマットに対応させるためには、両者の座標軸を一致させる必要がある。この作業は、例えば、媒体Ｍ上に表示された所定フォーマットの複数の所定位置を入力ペン２０の先端部で指示して、これらの位置の座標を算出し、これらの座標を、第１記憶部５４に展開されたフォーマット情報で対応する位置の座標と一致するように演算することによって行う。この演算は、第２記憶部５６にあらかじめ記憶されたプログラムにしたがって制御部５２が行う。
【００２９】
サーバ５０は、入力ペン２０の位置算出及び所定フォーマットとの適合を、例えば時分割処理によって、複数の入力ペン２０について並行して行うことができる。これらの処理経過、処理結果、及び、分析結果は、サーバ５０に接続された複数の端末６２、６４、６６へ送出される。ここで、分析処理は、処理結果のデータを用いて、第２記憶部５６にあらかじめ記憶させたプログラムにしたがって制御部５２が行う。また、処理結果及び分析結果は、携帯電話４０に送ることもでき、これにより、筆記者への迅速かつ正確なフィードバックを実現することができる。
【００３０】
上述の本実施形態では、超音波を用いて入力ペン２０の位置を算出する例を示したが、本発明は超音波以外の手段、例えば電磁誘導や光を用いて入力ペン２０の位置を算出することもできる。
【００３１】
電磁誘導を用いる場合は、例えば、入力ペン２０に電磁誘導のためのデジタイザの機能を持たせるとともに、受信器３０に代えてパッドを用いる。このパッド上には媒体Ｍが載置され、媒体Ｍ上で入力ペン２０を動かすと、パッド内に設けた検出回路が入力ペン２０の位置を算出する。
【００３２】
光を用いる場合は、例えば赤外光を用いることができ、例えば、入力ペン２０に発光部を設ける一方、受信器３０に代えて受光部を設けて、発光部から出射した光を受光部で受光するまでの時間を用いて入力ペン２０の位置を算出する。
【００３３】
さらに、位置算出手段と入力ペン２０をケーブルで電気的に接続して、パーソナルコンピュータのマウスと同様の原理により、入力手段の位置を算出することもできる。
【００３４】
本発明について上記実施形態を参照しつつ説明したが、本発明は上記実施形態に限定されるものではなく、改良の目的または本発明の思想の範囲内において改良または変更が可能である。
【図面の簡単な説明】
【００３５】
【図１】本発明の実施形態に係る情報記録システムの構成を示す概念図である。
【図２】本発明の実施形態に係る入力ペンを用いて筆記しているときの受信器との関係を示す概念図である。
【図３】入力ペンにおける発光及び発振と、受信器における受光及び受信のタイミングを示すチャート図である。
【符号の説明】
【００３６】
１０    情報記録システム
２０    入力ペン（入力手段）
３０    受信器（受信手段）
４０    携帯電話（携帯情報端末）
５０    サーバ
５２    制御部（位置算出手段、適合手段）
５４    第１記憶部（入力情報記憶手段）
５６    第２記憶部（フォーマット情報記憶手段）
Ｍ      媒体
【図２】
2009169603.tif 000003
【図３】
2009169603.tif 000004
【図１】
2009169603.tif 000005